(57)【特許請求の範囲】
【請求項１】
左側の音声を出力する第１のスピーカと、前記第１のスピーカがＢＴＬ接続されて前記第１のスピーカに出力する信号を増幅する第１の増幅器と、右側の音声を出力する第２のスピーカと、前記第２のスピーカがＢＴＬ接続されて前記第２のスピーカに出力する信号を増幅する第２の増幅器と、前記第１および前記第２の増幅器の出力端子に対する第３のスピーカの接続状態を検出するオーディオ装置であって、
検出用信号を発生する信号発生器と、
前記第１の増幅器に出力する信号の位相を調整する第１の位相調整器と、
前記第２の増幅器に出力する信号の位相を調整する第２の位相調整器と、
前記第１の増幅器の出力端子に流れる電流を検出する第１の電流検出部と、
前記第２の増幅器の出力端子に流れる電流を検出する第２の電流検出部と、
前記第１および前記第２の位相調整器が同位相および逆位相の前記検出用信号を前記第１および前記第２の増幅器にそれぞれ出力したときに前記第１および前記第２の電流検出部が検出した各電流値を比較する電流比較部と、
前記電流比較部による比較の結果に基づいて、同位相および逆位相の前記検出用信号を前記第１および前記第２の増幅器にそれぞれ出力したときに前記第１および前記第２の増幅器の出力端子に流れる各電流値の大小関係を、前記第１および前記第２の増幅器の出力端子に対する前記第３のスピーカの接続状態に対応付けた判定用データから、前記第３のスピーカの接続状態を判定する判定部とを備えるオーディオ装置。
【請求項２】
前記判定用データは、同位相および逆位相の前記検出用信号を前記第１および前記第２の増幅器にそれぞれ出力したときに前記第１および前記第２の増幅器の同相の出力端子同士および逆相の出力端子同士のいずれか一方に流れる各電流値の大小関係が前記第１および前記第２の増幅器の前記出力端子に対する前記第３のスピーカの接続有無に対応付けられたデータであり、
前記判定部は、前記電流比較部による比較の結果に基づいて前記判定用データを参照することで、前記第１および前記第２の増幅器の出力端子と前記第３のスピーカとの接続の有無を判定することを特徴とする請求項１記載のオーディオ装置。
【請求項３】
前記判定用データは、同位相および逆位相の前記検出用信号を前記第１および前記第２の増幅器にそれぞれ出力したときに前記第１および前記第２の増幅器の同相の出力端子同士および逆相の出力端子同士のいずれか一方または双方に流れる各電流値の大小関係が前記第１および前記第２の増幅器の出力端子に対する前記第３のスピーカの接続関係に対応付けられたデータであり、
前記判定部は、前記電流比較部による比較の結果に基づいて前記判定用データを参照することで、前記第３のスピーカが前記第１および前記第２の増幅器のいずれの出力端子に接続しているかを判定することを特徴とする請求項１記載のオーディオ装置。
【発明の詳細な説明】
【技術分野】
【０００１】
この発明は、スピーカの接続状態を検知する機能を有したオーディオ装置に関する。
【背景技術】
【０００２】
例えば、特許文献１は、左スピーカがＢＴＬ（Ｂｒｉｄｇｅｄ  ＴｒａｎｓＬｅｓｓ）接続された左側のＢＴＬアンプの出力端子と右スピーカがＢＴＬ接続された右側のＢＴＬアンプの出力端子とに中央スピーカが接続されたオーディオ装置を開示する。
このように構成することで、中央スピーカをＢＴＬ接続するための中央のＢＴＬアンプを設けることなく、中央スピーカからモノラル音声を出力することが可能となる。
【先行技術文献】
【特許文献】
【０００３】
【特許文献１】特開平５−１９９５９４号公報
【発明の概要】
【発明が解決しようとする課題】
【０００４】
特許文献１のオーディオ装置を車載用とする場合、左右および中央の各スピーカは車両のパネル内に埋め込まれた状態となる。このため各スピーカがアンプに正しく接続されているか否かを目視で確認することができない。
一方、従来のオーディオ装置において、２００ｍｓ程度のパルス波（直流信号、パルス信号）もしくは任意の交流波（交流信号）をアンプ側からスピーカ側に出力し、そのときに流れる電流を検出することによって、スピーカの接続有無を検出する方法が提案されている。
しかし、この検出方法は、同一チャンネルのアンプにおける同相出力端子（＋）と逆相出力端子（−）との間に接続された負荷のインピーダンスを測定するものであり、同一チャンネルのアンプにおける同相出力端子（＋）と逆相出力端子（−）との間に接続されたスピーカのみを検出可能である。このため、左右のＢＴＬアンプの出力端子に接続された中央スピーカを検出することはできなかった。【０００５】
この発明は、上記のような課題を解決するためになされたもので、左右のＢＴＬアンプの出力端子に接続されたスピーカの接続状態を的確に検出することができるオーディオ装置を得ることを目的とする。
【課題を解決するための手段】
【０００６】
この発明に係るオーディオ装置は、左側の音声を出力する第１のスピーカと、第１のスピーカがＢＴＬ接続されて第１のスピーカに出力する信号を増幅する第１の増幅器と、右側の音声を出力する第２のスピーカと、第２のスピーカがＢＴＬ接続されて第２のスピーカに出力する信号を増幅する第２の増幅器と、第１および第２の増幅器の出力端子に対する第３のスピーカの接続状態を検出するオーディオ装置であって、検出用信号を発生する信号発生器と、第１の増幅器に出力する信号の位相を調整する第１の位相調整器と、第２の増幅器に出力する信号の位相を調整する第２の位相調整器と、第１の増幅器の出力端子に流れる電流を検出する第１の電流検出部と、第２の増幅器の出力端子に流れる電流を検出する第２の電流検出部と、第１および第２の位相調整器が同位相および逆位相の検出用信号を第１および第２の増幅器にそれぞれ出力したときに第１および第２の電流検出部が検出した各電流値を比較する電流比較部と、電流比較部による比較の結果に基づいて、同位相および逆位相の検出用信号を第１および第２の増幅器にそれぞれ出力したときに第１および第２の増幅器の出力端子に流れる各電流値の大小関係を、第１および第２の増幅器の出力端子に対する第３のスピーカの接続状態に対応付けた判定用データから、第３のスピーカの接続状態を判定する判定部とを備える。
【発明の効果】
【０００７】
この発明によれば、左右のＢＴＬアンプの出力端子に接続されたスピーカの接続状態を的確に検出することができるという効果がある。
【図面の簡単な説明】
【０００８】
【図１】この発明の実施の形態１に係るオーディオ装置の構成を示すブロック図である。
【図２】実施の形態１に係るオーディオ装置によるスピーカ接続状態の検出処理を示すフローチャートである。
【図３】実施の形態１におけるスピーカ接続状態の検出処理の概要を示す図である。
【図４】この発明の実施の形態２に係るオーディオ装置によるスピーカの接続状態の検出処理を示すフローチャートである。
【図５】この発明の実施の形態３におけるサブウーファーがＬｃｈ（＋）とＲｃｈ（−）に接続された状態とこの接続状態に対応するアンプの出力電流値の大小関係を示す図である。
【図６】実施の形態３におけるサブウーファーがＬｃｈ（＋）とＲｃｈ（＋）に接続された状態とこの接続状態に対応するアンプの出力電流値の大小関係を示す図である。
【図７】実施の形態３におけるサブウーファーがＬｃｈ（−）とＲｃｈ（＋）に接続された状態とこの接続状態に対応するアンプの出力電流値の大小関係を示す図である。
【図８】実施の形態３におけるサブウーファーがＬｃｈ（−）とＲｃｈ（−）に接続された状態とこの接続状態に対応するアンプの出力電流値の大小関係を示す図である。
【発明を実施するための形態】
【０００９】
以下、この発明をより詳細に説明するため、この発明を実施するための形態について、添付の図面に従って説明する。
実施の形態１．
図１はこの発明の実施の形態１に係るオーディオ装置の構成を示すブロック図である。図１に示すオーディオ装置は、車載用のオーディオ装置であって、スピーカ１，２、サブウーファー３、アンプ４、位相調整器５ａ，５ｂ、信号発生器６および制御部７を備えて構成される。ここで、スピーカ１は、左側音声を出力する第１のスピーカであり、アンプ４の左側のアンプ回路４ａにＢＴＬ接続されている。スピーカ２は、右側音声を出力する第２のスピーカであり、アンプ４における右側のアンプ回路４ｂにＢＴＬ接続されている。また、サブウーファー３は、専用のアンプ回路を有さず、スピーカ１，２がＢＴＬ接続されたアンプ回路４ａ，４ｂの出力端子Ｌｃｈ（＋）、Ｒｃｈ（−）にそれぞれ接続される第３のスピーカである。
【００１０】
アンプ４は、左ステレオ信号および右ステレオ信号をそれぞれ増幅するアンプであり、アンプ回路４ａ，４ｂから構成される。すなわち、図１はスピーカの接続検出を行う構成のみを記載しており、アンプ回路４ａ，４ｂが位相調整器５ａ，５ｂの出力のみを入力しているが、アンプ回路４ａ，４ｂには不図示のオーディオ回路から出力された左ステレオ信号および右ステレオ信号も入力される。
アンプ回路４ａは左ステレオ信号を増幅する第１の増幅器であって、電流検出回路４ａ−１および増幅回路４ａ−２を備える。またアンプ回路４ｂは右ステレオ信号を増幅する第２の増幅器であり、電流検出回路４ｂ−１および増幅回路４ｂ−２を備えている。
【００１１】
電流検出回路４ａ−１は、アンプ回路４ａの出力端子に流れる電流を検出する第１の電流検出部である。また、電流検出回路４ｂ−１は、アンプ回路４ｂの出力端子に流れる電流を検出する第２の電流検出部である。
増幅回路４ａ−２は、左ステレオ信号の同相出力信号を増幅して同相出力端子Ｌｃｈ（＋）に出力し、左ステレオ信号の逆相出力信号を増幅して逆相出力端子Ｌｃｈ（−）に出力する。また増幅回路４ｂ−２は、右ステレオ信号の同相出力信号を増幅して同相出力端子Ｒｃｈ（＋）に出力し、右ステレオ信号の逆相出力信号を増幅して逆相出力端子Ｒｃｈ（−）に出力する。
【００１２】
位相調整器５ａは、制御部７の指示に従って、アンプ回路４ａに出力する信号の位相を調整する第１の位相調整器である。同様に、位相調整器５ｂは、制御部７の指示に従ってアンプ回路４ｂに出力する信号の位相を調整する第２の位相調整器である。
信号発生器６は、制御部７の指示に従って、スピーカ接続状態を検出するための検出用信号を発生する。検出用信号としては、例えば２００ｍｓ程度のパルス波（直流信号、パルス信号）もしくは任意の交流波（交流信号）が挙げられる。
【００１３】
制御部７は、実施の形態１に係るオーディオ装置に搭載されたマイクロコンピュータによって実現され、オーディオ装置の各種制御を行う。また、制御部７は、電流比較部７０およびスピーカ接続判定部７１を備える。電流比較部７０およびスピーカ接続判定部７１は、例えば、ソフトウェアによってプログラムされたマイクロコンピュータによって実現される。
【００１４】
電流比較部７０は、同位相および逆位相の検出用信号がアンプ４にそれぞれ出力されたときにアンプ４の出力端子に流れる電流値を比較する。この比較の結果は、スピーカ接続判定部７１に出力される。
スピーカ接続判定部７１は、電流比較部７０から入力した上記比較の結果に基づいて、サブウーファー３の接続状態を判定する判定部である。また、スピーカ接続判定部７１には、同位相および逆位相の検出用信号をアンプ４にそれぞれ出力したときにアンプ４の出力端子に流れる各電流値の大小関係を、アンプ４の出力端子に対するサブウーファー３の接続状態に対応付けた判定用データが登録されている。
スピーカ接続判定部７１は、電流比較部７０から入力した上記比較の結果に基づいて、上記判定用データを参照することで、サブウーファー３の接続状態を判定する。
【００１５】
次に動作について説明する。
図２は、実施の形態１に係るオーディオ装置によるスピーカ接続状態の検出処理を示すフローチャートである。この図２に沿ってサブウーファー３の接続有無を検出する処理について述べる。まず、制御部７は、検出用信号を出力させるコマンドを信号発生器６に送信する。信号発生器６は、上記コマンドに従って検出用信号を発生し位相調整器５ａおよび位相調整器５ｂにそれぞれ出力する（ステップＳＴ１）。
【００１６】
次に、位相調整器５ａおよび位相調整器５ｂは、制御部７からの制御によって、左側のアンプ回路４ａの同相出力端子Ｌｃｈ（＋）と逆相出力端子Ｌｃｈ（−）との間に出力される信号が、右側のアンプ回路４ｂの同相出力端子Ｒｃｈ（＋）と逆相出力端子Ｒｃｈ（−）との間に出力される信号と同位相になるように、信号発生器６から入力した検出用信号の位相を調整してアンプ回路４ａおよびアンプ回路４ｂにそれぞれ出力する（ステップＳＴ２）。
【００１７】
アンプ回路４ａおよびアンプ回路４ｂに同位相の検出用信号が出力されている間、電流検出回路４ａ−１は、アンプ回路４ａの同相出力端子Ｌｃｈ（＋）に流れる電流値ＩＬｐを検出し、電流検出回路４ｂ−１は、アンプ回路４ｂの同相出力端子Ｒｃｈ（＋）に流れる電流値ＩＲｐを検出している（ステップＳＴ３）。このとき制御部７の電流比較部７０は、電流検出回路４ａ−１，４ｂ−１がそれぞれ検出した電流値ＩＬｐ，ＩＲｐを読み出して記憶する。ここで、アンプ４の左側チャンネルＬｃｈおよび右側チャンネルＲｃｈに同位相の検出用信号をそれぞれ出力したときに、電流検出回路４ａ−１が検出した電流値をＩＬｐ１とし、電流検出回路４ｂ−１が検出した電流値をＩＲｐ１とする。
【００１８】
次に、位相調整器５ａおよび位相調整器５ｂは、制御部７からの制御によって、左側のアンプ回路４ａの同相出力端子Ｌｃｈ（＋）と逆相出力端子Ｌｃｈ（−）との間に出力される信号が、右側のアンプ回路４ｂの同相出力端子Ｒｃｈ（＋）と逆相出力端子Ｒｃｈ（−）との間に出力される信号と逆位相になるように、信号発生器６から入力した検出用信号の位相を調整してアンプ回路４ａおよびアンプ回路４ｂにそれぞれ出力する（ステップＳＴ４）。
【００１９】
アンプ回路４ａおよびアンプ回路４ｂに逆位相の検出用信号が出力されている間、電流検出回路４ａ−１は、アンプ回路４ａの同相出力端子Ｌｃｈ（＋）に流れる電流値ＩＬｐを検出し、電流検出回路４ｂ−１は、アンプ回路４ｂの同相出力端子Ｒｃｈ（＋）に流れる電流値ＩＲｐを検出している（ステップＳＴ５）。このとき、電流比較部７０は、電流検出回路４ａ−１，４ｂ−１がそれぞれ検出した電流値ＩＬｐ，ＩＲｐを読み出す。
ここで、アンプ４の左側チャンネルＬｃｈおよび右側チャンネルＲｃｈに逆位相の検出用信号をそれぞれ出力したときに、電流検出回路４ａ−１が検出した電流値をＩＬｐ２とし、電流検出回路４ｂ−１が検出した電流値をＩＲｐ２とする。
【００２０】
電流比較部７０は、上記検出用信号が同位相であるときの電流値ＩＬｐ１，ＩＲｐ１と上記検出用信号が逆位相であるときの電流値ＩＬｐ２，ＩＲｐ２とを大小比較する。この比較の結果はスピーカ接続判定部７１に出力される。
スピーカ接続判定部７１は、電流比較部７０による上記比較の結果に基づいて、同位相および逆位相の上記検出用信号をアンプ回路４ａ，４ｂにそれぞれ出力したときにアンプ回路４ａ，４ｂの同相出力端子Ｌｃｈ（＋），Ｒｃｈ（＋）に流れる各電流値の大小関係がサブウーファー３の接続有無に対応付けられた判定用データを参照する。このとき、同相出力端子Ｌｃｈ（＋）に流れる電流値ＩＬｐ１と電流値ＩＬｐ２が等しく、かつ同相出力端子Ｒｃｈ（＋）に流れる電流値ＩＲｐ１と電流値ＩＲｐ２が等しい場合（ステップＳＴ６；ＹＥＳ）、スピーカ接続判定部７１は、サブウーファー３がオープン状態であると判定する（ステップＳＴ７）。また、電流値ＩＬｐ１が電流値ＩＬｐ２，ＩＲｐ２よりも大きい場合（ステップＳＴ６；ＮＯ）、サブウーファー３が正常に接続している状態であると判定する（ステップＳＴ８）。
【００２１】
図３は実施の形態１におけるスピーカ接続状態の検出処理の概要を示す図である。図３（ａ）は検出用信号を同位相でアンプ４に出力した場合を示しており、図３（ｂ）は検出用信号を逆位相でアンプ４に出力した場合を示している。サブウーファー３の同相入力端子は左側のアンプ回路４ａの同相出力端子Ｌｃｈ（＋）に接続し、逆相入力端子は右側のアンプ回路４ｂの逆相出力端子Ｒｃｈ（−）に接続されている。
【００２２】
図３（ａ）に示すように、アンプ４の左側チャンネルＬｃｈと右側チャンネルＲｃｈに同位相の信号を出力した場合、サブウーファー３からは、アンプ回路４ａの同相出力端子Ｌｃｈ（＋）とアンプ回路４ｂの逆相出力端子Ｒｃｈ（−）の電位差が音信号として出力され、電位が高いＬｃｈ（＋）側からサブウーファー３に流れる分の電流が発生する。
一方、アンプ４の左側チャンネルＬｃｈと右側チャンネルＲｃｈに逆位相の信号を出力した場合、図３（ｂ）に示すようにアンプ回路４ａの同相出力端子Ｌｃｈ（＋）とアンプ回路４ｂの逆相出力端子Ｒｃｈ（−）の電位差がなくなるため、サブウーファー３からは音が出力されず、電流も流れない。
【００２３】
すなわち、左側のアンプ回路４ａの同相出力端子Ｌｃｈ（＋）と右側のアンプ回路４ｂの逆相出力端子Ｒｃｈ（−）にサブウーファー３の同相入力端子と逆相入力端子が正常に接続されていれば、上記検出用信号が同位相である場合、電位が高いＬｃｈ（＋）側からサブウーファー３に流れる分の電流が発生するので、電流値ＩＬｐ１は、電流値ＩＬｐ２，ＩＲｐ２よりも大きくなる（ＩＬｐ１＞ＩＬｐ２，ＩＲｐ２）。
一方、サブウーファー３が正常に接続しておらず、オープン状態である場合には、上記検出用信号が同位相であるか、逆位相であるかによらず、Ｌｃｈ（＋）とＲｃｈ（−）で電位差が発生しないことから、電流値ＩＬｐ１と電流値ＩＬｐ２が等しく、かつ、電流値ＩＲｐ１と電流値ＩＲｐ２が等しくなる。スピーカ接続判定部７１には、このような対応関係を示す判定用データが予め設定されており、電流比較部７０による比較の結果に基づいて上記判定用データを参照することで、サブウーファー３の接続有無を判定することができる。
【００２４】
以上のように、この実施の形態１によれば、同位相および逆位相の検出用信号をアンプ回路４ａ，４ｂにそれぞれ出力したときにアンプ回路４ａ，４ｂの出力端子に流れる各電流値を比較し、この比較の結果に基づいて、同位相および逆位相の検出用信号をアンプ回路４ａ，４ｂにそれぞれ出力したときにアンプ回路４ａ，４ｂの出力端子に流れる各電流値の大小関係を、アンプ回路４ａ，４ｂの出力端子に対するサブウーファー３の接続状態に対応付けた判定用データから、サブウーファー３の接続状態を判定する。
特に、判定用データが、同位相および逆位相の検出用信号をアンプ回路４ａ，４ｂにそれぞれ出力したときにアンプ回路４ａ，４ｂの同相の出力端子Ｌｃｈ（＋），Ｒｃｈ（＋）同士に流れる各電流値の大小関係がアンプ回路４ａ，４ｂの出力端子に対するサブウーファー３の接続有無に対応付けられたデータであり、スピーカ接続判定部７１が、電流比較部７０による比較の結果に基づいて判定用データを参照することで、アンプ回路４ａ，４ｂの出力端子とサブウーファー３との接続の有無を判定する。
このように構成することで、アンプ回路４ａ，４ｂの出力端子に対するサブウーファー３の接続有無を的確に検出することができる。
【００２５】
なお、上記説明では、同位相および逆位相の検出用信号をアンプ回路４ａ，４ｂにそれぞれ出力したときにアンプ回路４ａ，４ｂの同相出力端子Ｌｃｈ（＋），Ｒｃｈ（＋）に流れる電流値を比較する場合を示したが、これに限定されるものではない。
例えば、スピーカ接続判定部７１が、アンプ回路４ａ，４ｂの逆相出力端子Ｌｃｈ（−），Ｒｃｈ（−）に流れる各電流値の大小関係を、アンプ回路４ａ，４ｂの出力端子に対するサブウーファー３の接続有無に対応付けた判定用データを参照することで、サブウーファー３の接続有無を判定してもよい。
【００２６】
実施の形態２．
実施の形態２におけるスピーカ接続判定部７１には、同位相および逆位相の検出用信号をアンプ回路４ａ，４ｂにそれぞれ出力したときにアンプ回路４ａ，４ｂの同相出力端子Ｌｃｈ（＋），Ｒｃｈ（＋）に流れる各電流値の大小関係が、アンプ回路４ａ，４ｂの出力端子に対するサブウーファー３の接続関係に対応付けられた判定用データが設定されている。これにより、スピーカ接続判定部７１は、上述した判定用データを電流比較部７０による比較の結果に基づいて参照することで、サブウーファー３がアンプ４のいずれの出力端子に接続しているかを判定することができる。
【００２７】
図４はこの発明の実施の形態２に係るオーディオ装置によるスピーカの接続状態の検出処理を示すフローチャートである。実施の形態２では、実施の形態１と同様にアンプ回路４ａ，４ｂの同相出力端子に流れる電流を検出し、アンプ回路４ａ，４ｂに同位相および逆位相の検出用信号を出力したときにアンプ回路４ａ，４ｂの同相出力端子に流れる各電流値の大小比較結果に基づいて、サブウーファー３がアンプ４のいずれの出力端子に接続しているかを判定する。
【００２８】
まず、スピーカ接続判定部７１は、上記実施の形態１と同様にして、サブウーファー３が正常に接続した状態であることを確認する（ステップＳＴ１ａ）。すなわち、電流比較部７０による比較の結果がＩＬｐ１＞ＩＬｐ２，ＩＲｐ２の状態であれば、サブウーファー３は正常に接続している。
サブウーファー３が正常に接続している場合において、電流比較部７０による比較の結果がさらにＩＬｐ１＞ＩＲｐ１＝ＩＬｐ２＝ＩＲｐ２であれば（ステップＳＴ２ａ；ＹＥＳ）、スピーカ接続判定部７１は、上記判定用データを参照して、サブウーファー３が左側のアンプ回路４ａの同相出力端子Ｌｃｈ（＋）と右側のアンプ回路４ｂの逆相出力端子Ｒｃｈ（−）に接続していると判定する（ステップＳＴ３ａ）。
【００２９】
また、電流比較部７０による比較の結果がＩＬｐ１＞ＩＲｐ１＝ＩＬｐ２＝ＩＲｐ２ではない場合（ステップＳＴ２ａ；ＮＯ）、スピーカ接続判定部７１は、電流比較部７０による比較の結果がＩＬｐ２＞ＩＬｐ１＝ＩＲｐ１＝ＩＲｐ２であれば（ステップＳＴ４ａ；ＹＥＳ）、上記判定用データを参照して、サブウーファー３が左側のアンプ回路４ａの同相出力端子Ｌｃｈ（＋）と右側のアンプ回路４ｂの同相出力端子Ｒｃｈ（＋）とに接続していると判定する（ステップＳＴ５ａ）。
【００３０】
一方、電流比較部７０による比較の結果がＩＬｐ２＞ＩＬｐ１＝ＩＲｐ１＝ＩＲｐ２ではない場合（ステップＳＴ４ａ；ＮＯ）、スピーカ接続判定部７１は、ステップＳＴ３ａおよびステップＳＴ５ａの判定結果以外の接続関係でサブウーファー３が接続されていると判定する（ステップＳＴ６ａ）。例えば、サブウーファー３が左側のアンプ回路４ａの同相出力端子Ｌｃｈ（−）と右側のアンプ回路４ｂの同相出力端子Ｒｃｈ（＋）とに接続している、もしくは、左側のアンプ回路４ａの同相出力端子Ｌｃｈ（−）と右側のアンプ回路４ｂの同相出力端子Ｒｃｈ（−）とに接続していることが考えられる。
【００３１】
以上のように、この実施の形態２によれば、判定用データが、同位相および逆位相の検出用信号をアンプ回路４ａ，４ｂにそれぞれ出力したときにアンプ回路４ａ，４ｂの同相出力端子Ｌｃｈ（＋），Ｒｃｈ（＋）に流れる各電流値の大小関係が、アンプ回路４ａ，４ｂの出力端子に対するサブウーファー３の接続関係に対応付けられたデータである。
スピーカ接続判定部７１は、電流比較部７０による比較の結果に基づいて上記判定用データを参照することで、サブウーファー３がアンプ回路４ａ，４ｂのいずれの出力端子に接続しているかを判定する。
このように、アンプ回路４ａ，４ｂへ出力する検出用信号の位相を変えた場合におけるアンプ回路４ａ，４ｂの同相出力端子Ｌｃｈ（＋），Ｒｃｈ（＋）に流れる各電流値の大小関係がサブウーファー３の接続関係によって変化することを利用すれば、上述のように限定的ではあるが、サブウーファー３がアンプ回路４ａ，４ｂのどの出力端子（ポート）に接続しているかを判定することができる。これにより、サブウーファー３が接続されているか否かだけでなく、どのポートに誤接続されているのかを大まかに判断することができる。
【００３２】
なお、上記実施の形態２では、同位相および逆位相の検出用信号をアンプ回路４ａ，４ｂにそれぞれ出力したときにアンプ回路４ａ，４ｂの同相出力端子Ｌｃｈ（＋），Ｒｃｈ（＋）に流れる電流値を比較する場合を示したが、これに限定されるものではない。
例えば、スピーカ接続判定部７１が、アンプ回路４ａ，４ｂの逆相出力端子Ｌｃｈ（−），Ｒｃｈ（−）に流れる各電流値の大小関係を、アンプ回路４ａ，４ｂの出力端子に対するサブウーファー３の接続関係に対応付けた判定用データを参照することで、サブウーファー３の接続関係を判定してもよい。
【００３３】
実施の形態３．
実施の形態３におけるスピーカ接続判定部７１には、同位相および逆位相の検出用信号をアンプ回路４ａ，４ｂにそれぞれ出力したときにアンプ回路４ａ，４ｂの同相出力端子Ｌｃｈ（＋），Ｒｃｈ（＋）および逆相出力端子Ｌｃｈ（−），Ｒｃｈ（−）の双方に流れる各電流値の大小関係が、アンプ回路４ａ，４ｂの出力端子に対するサブウーファー３の接続関係に対応付けられた判定用データが設定されている。これにより、スピーカ接続判定部７１は、上述した判定用データを電流比較部７０による比較の結果に基づいて参照することで、サブウーファー３がアンプ４のいずれの出力端子に接続しているかを正確に判定することができる。
【００３４】
図５は、実施の形態３におけるサブウーファーがＬｃｈ（＋）とＲｃｈ（−）に接続された状態とこの接続状態に対応するアンプの出力電流値の大小関係を示す図である。図５に示すように、サブウーファー３が左側のアンプ回路４ａの同相出力端子Ｌｃｈ（＋）と右側のアンプ回路４ｂの逆相出力端子Ｒｃｈ（−）に接続している場合、同位相の検出用信号をアンプ４に出力すると、電流値はＩＬｐ１＝ＩＲｎ１＞ＩＬｎ１＝ＩＲｐ１といった関係になる。ただし、電流ＩＬｎ１は同位相の検出用信号をアンプ４に出力したときに左側のアンプ回路４ａの逆相出力端子Ｌｃｈ（−）に流れる電流である。電流ＩＲｎ１は同位相の検出用信号をアンプ４に出力したときに右側のアンプ回路４ｂの逆相出力端子Ｌｃｈ（−）に流れる電流である。
【００３５】
また、サブウーファー３が左側のアンプ回路４ａの同相出力端子Ｌｃｈ（＋）と右側のアンプ回路４ｂの逆相出力端子Ｒｃｈ（−）に接続している場合において、逆位相の検出用信号をアンプ４に出力すると、電流値はＩＬｐ２＝ＩＲｐ２＝ＩＬｎ２＝ＩＲｎ２という関係になる。ただし、電流ＩＬｎ２は、逆位相の検出用信号をアンプ４に出力したときに左側のアンプ回路４ａの逆相出力端子Ｌｃｈ（−）に流れる電流である。電流ＩＲｎ２は、同位相の検出用信号をアンプ４に出力したときに右側のアンプ回路４ｂの逆相出力端子Ｌｃｈ（−）に流れる電流である。
【００３６】
スピーカ接続判定部７１は、電流比較部７０による比較の結果が、同位相の検出用信号をアンプ４に出力したときにＩＬｐ１＝ＩＲｎ１＞ＩＬｎ１＝ＩＲｐ１となり、逆位相の検出用信号をアンプ４に出力したときにＩＬｐ２＝ＩＲｐ２＝ＩＬｎ２＝ＩＲｎ２の関係であった場合に、これらの電流値の大小関係に基づいて判定用データを参照することで、サブウーファー３が左側のアンプ回路４ａの同相出力端子Ｌｃｈ（＋）と右側のアンプ回路４ｂの逆相出力端子Ｒｃｈ（−）に接続していると判定する。
【００３７】
図６は、実施の形態３におけるサブウーファーがＬｃｈ（＋）とＲｃｈ（＋）に接続された状態とこの接続状態に対応するアンプの出力電流値の大小関係を示す図である。図６に示すように、サブウーファー３が左側のアンプ回路４ａの同相出力端子Ｌｃｈ（＋）と右側のアンプ回路４ｂの同相出力端子Ｒｃｈ（＋）に接続している場合、同位相の検出用信号をアンプ４に出力すると、電流値はＩＬｐ１＝ＩＲｐ１＝ＩＬｎ１＝ＩＲｎ１といった関係になる。一方、逆位相の検出用信号をアンプ４に出力すると、電流値はＩＬｐ２＝ＩＲｐ２＞ＩＬｎ２＝ＩＲｎ２といった関係になる。
【００３８】
スピーカ接続判定部７１は、電流比較部７０による比較の結果が、同位相の検出用信号をアンプ４に出力したときにＩＬｐ１＝ＩＲｐ１＝ＩＬｎ１＝ＩＲｎ１となり、逆位相の検出用信号をアンプ４に出力したときにＩＬｐ２＝ＩＲｐ２＞ＩＬｎ２＝ＩＲｎ２の関係であった場合に、これらの電流値の大小関係に基づいて判定用データを参照することで、サブウーファー３が左側のアンプ回路４ａの同相出力端子Ｌｃｈ（＋）と右側のアンプ回路４ｂの同相出力端子Ｒｃｈ（＋）に接続していると判定する。
【００３９】
図７は、実施の形態３におけるサブウーファーがＬｃｈ（−）とＲｃｈ（＋）に接続された状態とこの接続状態に対応するアンプの出力電流値の大小関係を示す図である。図７に示すように、サブウーファー３が左側のアンプ回路４ａの逆相出力端子Ｌｃｈ（−）と右側のアンプ回路４ｂの同相出力端子Ｒｃｈ（＋）に接続している場合に、同位相の検出用信号をアンプ４に出力すると、電流値はＩＬｎ１＝ＩＲｐ１＞ＩＬｐ１＝ＩＲｎ１といった関係になる。また逆位相の検出用信号をアンプ４に出力した場合、電流値はＩＬｐ２＝ＩＲｐ２＝ＩＬｎ２＝ＩＲｎ２という関係になる。
【００４０】
スピーカ接続判定部７１は、電流比較部７０による比較の結果が、同位相の検出用信号をアンプ４に出力したときにＩＬｎ１＝ＩＲｐ１＞ＩＬｐ１＝ＩＲｎ１となり、逆位相の検出用信号をアンプ４に出力したときにＩＬｐ２＝ＩＲｐ２＝ＩＬｎ２＝ＩＲｎ２の関係であった場合に、これらの電流値の大小関係に基づいて判定用データを参照することで、サブウーファー３が左側のアンプ回路４ａの逆相出力端子Ｌｃｈ（−）と右側のアンプ回路４ｂの同相出力端子Ｒｃｈ（＋）に接続していると判定する。
【００４１】
図８は、実施の形態３におけるサブウーファーがＬｃｈ（−）とＲｃｈ（−）に接続された状態とこの接続状態に対応するアンプの出力電流値の大小関係を示す図である。図８に示すように、サブウーファー３が左側のアンプ回路４ａの逆相出力端子Ｌｃｈ（−）と右側のアンプ回路４ｂの逆相出力端子Ｒｃｈ（−）に接続している場合、同位相の検出用信号をアンプ４に出力すると、電流値はＩＬｐ１＝ＩＲｐ１＝ＩＬｎ１＝ＩＲｎ１という関係になる。また、逆位相の検出用信号をアンプ４に出力した場合、電流値はＩＬｎ２＝ＩＲｎ２＞ＩＬｐ２＝ＩＲｐ２という関係になる。
【００４２】
スピーカ接続判定部７１は、電流比較部７０による比較の結果が、同位相の検出用信号をアンプ４に出力したときにＩＬｐ１＝ＩＲｐ１＝ＩＬｎ１＝ＩＲｎ１となり、逆位相の検出用信号をアンプ４に出力したときにＩＬｎ２＝ＩＲｎ２＞ＩＬｐ２＝ＩＲｐ２の関係であった場合に、これらの電流値の大小関係に基づいて判定用データを参照することで、サブウーファー３が左側のアンプ回路４ａの逆相出力端子Ｌｃｈ（−）と右側のアンプ回路４ｂの逆相出力端子Ｒｃｈ（−）に接続していると判定する。
【００４３】
以上のように、この実施の形態３によれば、判定用データが、同位相および逆位相の検出用信号をアンプ回路４ａ，４ｂにそれぞれ出力したときにアンプ回路４ａ，４ｂの同相出力端子Ｌｃｈ（＋），Ｒｃｈ（＋）および逆相出力端子Ｌｃｈ（−），Ｒｃｈ（−）の双方に流れる各電流値の大小関係がアンプ回路４ａ，４ｂの出力端子に対するサブウーファー３の接続関係に対応付けられたデータである。スピーカ接続判定部７１は、電流比較部７０による比較の結果に基づいて上記判定用データを参照することで、サブウーファー３がアンプ回路４ａ，４ｂのいずれの出力端子に接続しているかを判定する。
このようにアンプ回路４ａ，４ｂへ出力する検出用信号の位相を変えた場合におけるアンプ回路４ａ，４ｂの同相出力端子同士および逆相出力端子同士の出力電流の大小関係がサブウーファー３の接続関係によって変化することを利用すれば、サブウーファー３がアンプ回路４ａ，４ｂのどの出力端子（ポート）に接続しているかを正確に判定することができる。これにより、サブウーファー３が接続されているか否かだけでなく、どのポートに誤接続されているのかを正確に検出可能である。
【００４４】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４５】
この発明に係るオーディオ装置は、例えば、車両のパネル内に埋め込まれたスピーカの接続状態を的確に検出することができるので、車載用のオーディオ装置に好適である。
【符号の説明】
【００４６】
１，２  スピーカ、３  サブウーファー、４  アンプ、４ａ，４ｂ  アンプ回路、４ａ−１，４ｂ−１  電流検出回路、４ａ−２，４ｂ−２  増幅回路、５ａ，５ｂ  位相調整器、６  信号発生器、７  制御部、７０  電流比較部、７１  スピーカ接続判定部。
【図１】
0006045726.tif 000002
【図２】
0006045726.tif 000003
【図３】
0006045726.tif 000004
【図４】
0006045726.tif 000005
【図５】
0006045726.tif 000006
【図６】
0006045726.tif 000007
【図７】
0006045726.tif 000008
【図８】
0006045726.tif 000009